(57)【要約】【課題】グローブの交換を容易にすることが期待できる照明器具を提供する。【解決手段】開口部23を有する器具本体12を備える。器具本体12内に光源ユニット13を配置する。器具本体12の外側から開口部23に、開口部23を覆うグローブ15を嵌め込む。グローブ15を器具本体12と光源ユニット13との間に挟み込んで保持した状態で、取付ねじ25により光源ユニット13を器具本体12に固定する。取付ねじ25を緩めることにより、器具本体12内で光源ユニット13が上下方向に移動可能となり、グローブ15の着脱を許容する。【選択図】図１
2011249073.tif 000002
【特許請求の範囲】
【請求項１】
開口部を有する器具本体と；
光源を有し、器具本体内に配置される光源ユニットと；
器具本体の開口部を覆うグローブと；
グローブを器具本体と光源ユニットとの間に挟み込んで保持する状態に、光源ユニットを器具本体に取り付ける取付手段と；
を具備していることを特徴とする照明器具。
【請求項２】
光源ユニットは、器具本体との間にグローブを挟み込んで保持するグローブ押えを備えている
ことを特徴とする請求項１記載の照明器具。
【請求項３】
取付手段は、光源ユニットを器具本体に取り付ける位置を、器具本体と光源ユニットとの間でグローブを挟み込む方向に対応して調整可能とする
ことを特徴とする請求項１または２記載の照明器具。
【発明の詳細な説明】
【技術分野】
【０００１】
本発明の実施形態は、グローブを用いた照明器具に関する。
【背景技術】
【０００２】
従来、バスや鉄道などの車両用の照明器具は、車両に取り付けられる細長い器具本体を備え、この器具本体内に蛍光灯が配置されているとともに、器具本体に下面の開口部を覆ってグローブが取り付けられている。一般に、グローブは、器具本体の下面に開閉可能に設けられ枠体に取り付けられている。
【０００３】
また、蛍光灯に代えてＬＥＤを採用する場合、ＬＥＤを実装した基板をＬＥＤの熱を放熱するための放熱板にねじ止めして取り付け、さらに、この放熱板を器具本体に取り付けるための取付板にねじ止めして取り付けている。放熱体を押し出し成形によって形成する場合には、放熱体の長手方向に沿ってグローブの取付溝を形成し、放熱体の長手方向の一端から取付溝にグローブを差し込んで取り付けている。
【先行技術文献】
【特許文献】
【０００４】
【特許文献１】特開２００８−２９６７７４号公報
【発明の概要】
【発明が解決しようとする課題】
【０００５】
照明器具においては、グローブが破損したり、変色するなどの劣化が生じたときに、グローブを交換するが、グローブが枠体に取り付けられている場合には、枠体に保持されているグローブを外したり交換するグローブを枠体に保持させるのに手間がかかり、また、グローブが放熱体に取り付けられている場合には、取付板を器具本体に取り付けているねじを全て外し、放熱体および取付板を器具本体から取り出し、放熱体の長手方向にグローブを移動させて交換しなければならず、手間がかかる。
【０００６】
このように、従来の照明器具では、グローブの取付構造が複雑で、グローブを容易に交換することもできなかった。
【０００７】
本発明は、このような点に鑑みなされたもので、グローブの取付構造が簡単で、グローブの交換も容易になることが期待できる照明器具を提供することを目的とする。
【課題を解決するための手段】
【０００８】
実施形態の照明器具は、開口部を有する器具本体、器具本体内に配置される光源ユニット、器具本体の開口部を覆うグローブ、およびグローブを器具本体と光源ユニットとの間に挟み込んで保持する状態に、光源ユニットを器具本体に取り付ける取付手段を備える。
【発明の効果】
【０００９】
本発明の照明器具によれば、グローブを器具本体と光源ユニットとの間に挟み込んで保持する状態に、光源ユニットを器具本体に取り付ける取付手段を備えるため、取付手段のみで光源ユニットおよびグローブの両方を一度に取り付け、グローブの取付構造を簡単にすることが期待できるとともに、取付手段による器具本体と光源ユニットとの間でのグローブの挟み込みを解除することにより、グローブの交換を容易にすることが期待できる。
【図面の簡単な説明】
【００１０】
【図１】実施形態を示す照明器具の一部を断面とした端面図である。
【図２】同上照明器具の光源ユニットを上方へ移動させた一部を断面とした端面図である。
【図３】同上照明器具の全体を示し、(a)は平面図、(b)は側面図である。
【図４】同上照明器具の器具本体および光源ユニットの一部の斜視図である。
【図５】同上照明器具の光源ユニットの斜視図である。
【発明を実施するための形態】
【００１１】
以下、実施形態を、図１ないし図５を参照して説明する。
【００１２】
図１ないし図３に示すように、照明器具11は、例えばバスや鉄道などの車内の設置面である天井部材に設置される車両用照明器具で、器具本体12、この器具本体12内に配置される光源ユニット13、器具本体12の背面側に取り付けられる電源ユニット14、および器具本体12の前面側に取り付けられるグローブ15を備えている。
【００１３】
図１ないし図４に示すように、器具本体12は、車両の長手方向に対応して細長く形成されており、例えば金属板にて背面部18、両側面部19、および両前面部20を有する断面略コ字形に折り曲げ形成された本体部21、およびこの本体部21の長手方向の両端に取り付けられる端板22を備えている。器具本体12の前面には、両前面部20間および両端板22間に開口部23が形成されている。
【００１４】
器具本体12の両側面部19には、光源ユニット13を器具本体12に取り付ける取付手段24としての複数の取付ねじ25が挿通する挿通孔19aが器具本体12の長手方向の複数箇所に形成されている。両端板22にも、光源ユニット13を器具本体12に取り付ける取付手段24としての複数の取付ねじ26が挿通する挿通孔22aが形成されている。これら挿通孔19a，22aは、前面部20と背面部18とが対向する前後方向であって器具設置状態での上下方向に長孔状に形成され、その長孔に沿って取付ねじ25，26の取付位置を調整可能としている。また、器具本体12の背面部18には、器具本体12を設置面である天井部材に設置用ねじで固定するための複数の取付孔18aが形成されている。
【００１５】
なお、挿通孔22aは丸孔で形成し、光源ユニット13と一体になって上下方向に動くようにしてもよい。
【００１６】
また、図示していないが、端板22には器具本体12の前面の両端領域つまりグローブ15より両端領域を覆うカバー部が設けられており、このカバー部には器具本体12の取付孔18aを通じて天井部材に螺着される設置用ねじを操作するための操作孔が形成されている。
【００１７】
また、図１、図２、図４および図５に示すように、光源ユニット13は、複数の発光モジュール28、これら発光モジュール28が長手方向に沿って１列に配列されてそれぞれ取り付けられた細長い取付板29、およびこの取付板29の両側にそれぞれ取り付けられた複数のグローブ押え30を備えている。光源ユニット13は、発光モジュール28の前面が器具本体12の開口部23に対向するように、端板22を外した器具本体12の一端から差し込まれて器具本体12内に配置されている。
【００１８】
発光モジュール28は、光源32として例えばＬＥＤ素子やＥＬ素子などの複数の半導体発光素子33、これら半導体発光素子33が長手方向に沿って１列に配列されてそれぞれ実装された細長い基板34を備えている。
【００１９】
半導体発光素子33は、ＬＥＤ素子の場合、ＬＥＤチップが搭載された接続端子付きのＳＭＤ（Surface Mount Device）パッケージが用いられている。このＳＭＤパッケージは、パッケージ内に例えば青色光を発するＬＥＤチップが配置され、このＬＥＤチップをＬＥＤチップからの青色光の一部により励起されて黄色光を放射する黄色の蛍光体が混入された例えばシリコーン樹脂などの蛍光体層で封止されている。したがって、蛍光体層の表面が発光面となり、この発光面から白色系の光が放射される。ＳＭＤパッケージの側面には、基板34にはんだ付け接続される端子が配置されている。
【００２０】
基板34は、例えば、熱伝導性に優れた金属やセラミックス、あるいはプリント配線基板で、長方形状に形成されており、一面である実装面には、絶縁層を介して配線パターンが形成され、この配線パターンに複数の半導体発光素子33が接続されて実装されている。基板34は、他面である取付面が取付板29の前面に接合され、基板34を挿通する複数の取付ねじ35で取付板29に面接触状態に取り付けられている。
【００２１】
取付板29に取り付けられる各発光モジュール28は図示しない電線などで直列に接続され、すなわち、各発光モジュール28の全ての半導体発光素子33が直列に接続されている。
【００２２】
取付板29は、例えばアルミニウムなどの金属材料によって、器具本体12の長手方向に対応して細長く形成されており、複数の発光モジュール28が長手方向に沿って１列に配列されて取り付けられる平板状の発光モジュール取付板部37を有し、この発光モジュール取付板部37の両側から支持板部38が側方へ向けて突出形成されているとともに両支持板部38の先端から器具本体12の側面部19の内面と平行に折り曲げられた取付板部39が形成され、発光モジュール取付板部37の両端から器具本体12の端板22の内面と平行に折り曲げられた端板部40が形成されている。
【００２３】
取付板29の発光モジュール取付板部37の両端近傍には、器具本体12の取付孔18aを通じて天井部材に螺着される設置用ねじを操作するための操作孔37aが形成されている。両支持板部38には、各発光モジュール28の取付位置の側部に対応して、グローブ押え30が支持板部38の背面側から前面側に挿通して取り付けられる孔部41が取付板29の長手方向に沿って細長く形成されている。取付板部39には、器具本体12の側面部19の各挿通孔19aを挿通する各取付ねじ25が螺合する取付孔39aが形成されている。端板部40には、端板22を挿通する複数の取付ねじ26が螺合する複数の取付孔40aが形成されている。
【００２４】
各グローブ押え30は、例えば金属板で、器具本体12の長手方向に対応して細長く形成され、取付板29の支持板部38の背面側に取り付けられる取付板部45、およびこの取付板部45から直角に折り曲げられた略Ｌ字形の押え部46を備えている。取付板部45は、孔部41の長手方向の寸法より長く、その取付板部45の両端が取付ねじ47で取付板29の支持板部38に取り付けられている。押え部46は、支持板部38の孔部41を貫通して、取付板29の支持板部38の背面側から前面側に突出され、その先端には器具本体12の前面部20の内面との間でグローブ15を挟み込んで保持する当接部48が形成されている。
【００２５】
また、図１ないし図３に示すように、電源ユニット14は、器具本体12の背面部18の背面中央にねじ止めによって取り付けられており、電源ユニット14から引き出されているケーブル50のコネクタ51と車両側に配線されている電源線のコネクタとを接続することによって電源が供給される。電源ユニット14は、供給される電源を発光モジュール28の半導体発光素子33の点灯用電源に変換して供給する電源回路を備えている。この電源回路の回路構成は、特に限定されるものではなく、どのような回路構成を用いてもよい。電源回路と発光モジュール28の基板34とが図示しない電線で接続され、各発光モジュール28の半導体発光素子33に点灯電源を供給可能としている。
【００２６】
また、図１ないし図３に示すように、グローブ15は、光透過性、光拡散性、および弾性変形可能な柔軟性を有する例えばガラス繊維や合成樹脂などの材料によって形成されており、器具本体12の長手方向の長さよりも少し短い長さに形成されている。グローブ15は、器具本体12の前面側に突出するように膨出形成されたグローブ部53、およびこのグローブ部53の周辺部から周囲に突出されて器具本体12に取り付けられる取付部54を備えている。
【００２７】
グローブ部53は、長手方向と直交する断面が略Ｕ字形に湾曲して形成されているとともに両端面が閉塞されており、器具本体12の開口部23の幅寸法よりも小さく形成されている。
【００２８】
両側の取付部54の先端間の寸法は、器具本体12の開口部23の幅寸法よりも広く形成されており、一方の取付部54が器具本体12の前面部20とグローブ押え30との間に差し込まれた状態で、グローブ15を弾性変形させながら他方の取付部54を器具本体12の前面部20とグローブ押え30との間に対して差し込んだり、取り外すのが可能となっている。
【００２９】
次に、照明器具11の作用について説明する。
【００３０】
照明器具11を設置する場合には、車両の車内の設置面である天井部材に予め形成されている埋込孔を通じて電源線と電源ユニット14のケーブル50とをコネクタ接続し、その埋込孔に電源ユニット14を挿入しながら天井部材に器具本体12の背面部18を接合させ、設置用ねじを端板22のカバー部の操作孔、光源ユニット13の操作孔37a、および器具本体12の背面部18の取付孔18aを通じて天井部材に螺着して固定する。
【００３１】
また、電源ユニット14に電源が供給されると、この電源ユニット14からの点灯用電源が各発光モジュール28の各半導体発光素子33に供給され、これら半導体発光素子33が点灯し、その光がグローブ15を透過して車内に照射される。
【００３２】
また、グローブ15が破損したり、変色するなどで劣化したために、グローブ15を交換する場合には、器具本体12の両側の各取付ねじ25、および両端の各取付ねじ26を取付板29から外れない程度に少し緩める。
【００３３】
各取付ねじ25，26を少し緩めることにより、器具本体12に対する光源ユニット13の固定が解除され、各取付ねじ25，26が長孔状の挿通孔19a，22a内に沿って上下方向に移動することにより、光源ユニット13も器具本体12内において上下方向に移動可能となる。
【００３４】
これにより、器具本体12の前面部20とグローブ押え30との間でのグローブ15の取付部54の保持が解除されるため、グローブ15を器具本体12に対して下方へ引っ張ることにより、グローブ15が弾性変形しながら器具本体12の開口部23から下方へ取り外すことができる。このとき、グローブ15を一側または他側のいずれかに寄せるように弾性変形させて一方の取付部54を器具本体12の前面部20とグローブ押え30との間から抜き外すことより、グローブ15を器具本体12から容易に外すことができる。
【００３５】
交換する新しいグローブ15の一側の取付部54を器具本体12の開口部23に下方から挿入し、器具本体12の前面部20とグローブ押え30との間に差し込む。このとき、図２に示すように、器具本体12の一側の取付ねじ25を上方へ移動するように操作し、一緒に光源ユニット13のグローブ押え30を上方へ移動させ、器具本体12の前面部20とグローブ押え30との間に差込み用の間隔を開けることにより、グローブ15の一側の取付部54を器具本体12の前面部20とグローブ押え30との間に容易に差し込むことができる。さらに、グローブ15の他側を一側に寄せるように弾性変形させながら、グローブ15の他側の取付部54を器具本体12の開口部23に下方から挿入し、器具本体12の前面部20とグローブ押え30との間に差し込む。このときも、器具本体12の他側の取付ねじ25を上方へ移動するように操作し、一緒に光源ユニット13のグローブ押え30を上方へ移動させ、器具本体12の前面部20とグローブ押え30との間に差込み用の間隔を開けることにより、グローブ15の他側の取付部54を器具本体12の前面部20とグローブ押え30との間に容易に差し込むことができる。そして、グローブ15の他側の取付部54を器具本体12の前面部20とグローブ押え30との間に差し込み、グローブ15の弾性変形を解除することにより、グローブ15の弾性変形に対する反発力によってグローブ15の両側の取付部54が器具本体12の両側の前面部20と両側のグローブ押え30との間にそれぞれ差し込まれた状態で、器具本体12の開口部23を覆って抜け止めされる。
【００３６】
なお、全ての取付ねじ25，26を緩めた後、あるいはその後のグローブ15を取り外した後に、図２に示すように、光源ユニット13を器具本体12内の上方へ移動させた状態で両側のいくつかの取付ねじ25を締め付け、器具本体12の前面部20とグローブ押え30との間に差込み用の間隔を開けた状態に仮止めしておくことにより、交換するグローブ15の装着を容易にできる。この場合、グローブ15の装着後には、仮止めした全ての取付ねじ25を緩める。
【００３７】
グローブ15を器具本体12に装着した状態では、器具本体12内の光源ユニット13はまだ取付ねじ25，26で固定されていないので上下方向に移動可能であり、重力によって光源ユニット13が下降していて、光源ユニット13のグローブ押え30がグローブ15の取付部54に当接して器具本体12の前面部20の内面に押し付け、その状態で光源ユニット13の荷重が加わっている。そのため、グローブ15の取付部54が器具本体12の前面部20とグローブ押え30との間に挟み込んで保持された状態にある。この状態で、各取付ねじ25，26を締め付けて光源ユニット13を器具本体12に固定する。これにより、グローブ15が器具本体12にがたつきなく保持される。
【００３８】
このように、照明器具11によれば、器具本体12の開口部23に嵌め込まれたグローブ15を器具本体12と光源ユニット13との間に挟み込んで保持する状態に、器具本体12の外側から光源ユニット13を器具本体12に取り付ける取付手段24として取付ねじ25，26を備えるため、取付ねじ25，26のみで光源ユニット13およびグローブ15の両方を一度に取り付け、グローブ15の取付構造を簡単にすることが期待できるとともに、取付ねじ25，26による器具本体12と光源ユニット13との間でのグローブ15の挟み込みを解除することにより、グローブ15の交換を容易にすることが期待できる。
【００３９】
また、光源ユニット13は、器具本体12との間にグローブ15を挟み込んで保持するグローブ押え30を備えるため、グローブ15を確実に保持できる。
【００４０】
なお、グローブ押え30は、光源ユニット13の取付板29と別体に設けてもよいし、取付板29と一体に設けてもよい。取付板29と一体に設ける場合には、例えば、取付板29の支持板部38の一部でグローブ15を器具本体12との間に挟み込んで保持するようにすればよい。
【００４１】
また、取付ねじ25，26によって光源ユニット13を器具本体12に取り付ける位置は、器具本体12と光源ユニット13との間でグローブ15を挟み込む方向に対応して調整可能とするため、器具本体12と光源ユニット13との間に対するグローブ15の着脱を容易にできるとともに、グローブ15の取付部54の厚みのばらつきにも対応できる。
【００４２】
なお、実施形態の照明器具11は、実施形態の車両用照明器具に限らず、天井用照明器具や壁面用照明器具などにも適用できる。
【００４３】
また、光源ユニット13の光源32は、実施形態の半導体発光素子33に限らず、直管形蛍光ランプなどでもよい。この場合、直管形蛍光ランプを装着するソケットを光源ユニット13の取付板29に取り付ければよい。
【００４４】
また、グローブ15は、実施形態の形状に限らず、どのような形状でもよい。
【００４５】
また、取付手段24は、実施形態の取付ねじ25，26に限らず、ばねや、引っ掛けて止めるフックなど、いずれでもよい。
【００４６】
また、取付ねじ25は、器具本体12の側面から取り付けられているが、器具本体12の背面側にねじ操作可能な空間がある状態に設置される場合には、器具本体12の背面側から取り付けられるようにしてもよく、この場合、取付ねじ25の位置に対応して、器具本体12に対する光源ユニット13の取り付けと、グローブ押え30によるグローブ15の保持とが可能となるように適宜構成すればよい。
【符号の説明】
【００４７】
11    照明器具
12    器具本体
13    光源ユニット
15    グローブ
23    開口部
24    取付手段
30    グローブ押え
32    光源
【図１】
2011249073.tif 000003
【図２】
2011249073.tif 000004
【図３】
2011249073.tif 000005
【図４】
2011249073.tif 000006
【図５】
2011249073.tif 000007